【事件の表示】
　特願２０１６−５１１２０１「情報処理装置、情報処理方法、及び情報処理プログラム」拒絶査定不服審判事件〔平成２７年１０月　８日国際公開、ＷＯ２０１５／１５１１７６、請求項の数（１４）〕について、次のとおり審決する。
【結　論】
　原査定を取り消す。
　本願の発明は、特許すべきものとする。
【理　由】
第１　手続の経緯
　本願は、平成２６年３月３１日の出願であって、その手続の経緯は以下のとおりである。
　平成２８年　８月　５日付け：拒絶理由の通知
　平成２８年１０月１１日　　：意見書、及び、手続補正書の提出
　平成２８年１０月２７日付け：拒絶査定
　平成２９年　１月２３日　　：審判請求書、及び、手続補正書の提出
　平成２９年　２月　９日　　：前置報告
第２　原査定の概要
　原査定（平成２８年１０月２７日付け拒絶査定）の概要は次の通りである。
　本願請求項４、７−９、１２、１４、１７、１９に係る発明は、以下の引用文献１に基づいて、その発明の属する技術の分野における通常の知識を有する者（以下、「当業者」という。）が容易に発明できたものであるから、特許法第２９条第２項の規定により特許を受けることができない。
引用文献等一覧
１.特開２０１１−２２６３１号公報
第３　審判請求時の補正について
　審判請求時の補正は、特許法第１７条の２第３項から第６項までの要件に違反しているものとはいえない。
　審判請求時の補正によって、補正前の請求項７−９、１４、及び、１９を削除する補正がなされた。
　審判請求時の補正によって、請求項４、９、１３（補正前の請求項４、１２、１７に対応）になされた「前記広告対象の閲覧者であるユーザにより過去に閲覧または指定された対象の情報を含む履歴情報に基づいて、過去の所定期間内に前記ユーザにより閲覧または指定された対象が属するカテゴリに属する対象を前記広告対象と比較される比較対象として特定し」を「前記広告対象の閲覧者であるユーザの検索履歴、閲覧履歴、またはブックマーク登録履歴に基づいて、過去の所定期間内に前記ユーザにより検索、閲覧、またはブックマーク登録された対象が属するカテゴリに属する対象で、且つ前記広告対象が属するカテゴリに属する対象を前記広告対象と比較される比較対象として特定し」とする補正は、「履歴情報」のうち「過去に閲覧または指定された対象の情報」を「検索履歴、閲覧履歴、またはブックマーク登録履歴」に限定し、前記限定に表記を合わせるために「閲覧または指定された対象」を「検索、閲覧、またはブックマーク登録された対象」にし、さらに、比較対象として特定される「対象」について「前記広告対象が属するカテゴリに属する」ことをさらに限定するものであるから、特許請求の範囲の減縮を目的とするものである。
　また、「広告対象の閲覧者であるユーザの検索履歴、閲覧履歴、またはブックマーク登録履歴に基づいて」比較対象として特定することは、当初明細書の段落【００４３】に記載されており、「広告対象が属するカテゴリに属する対象を前記広告対象と比較される比較対象として特定」することは、当初明細書の段落【００５１】に記載されているから、各補正事項は、当初明細書等に記載された事項であり、新規事項を追加するものではないといえる。
　そして、「第４　本願発明」から「第６　対比・判断」までに示すように、補正後の請求項４、９、１３に係る発明は、独立特許要件を満たすものである。
第４　本願発明
　本願請求項４、９、１３に係る発明（以下、それぞれ「本願発明４」、「本願発明９」、「本願発明１３」という。）は、平成２９年　１月２３日付けの手続補正で補正された特許請求の範囲の請求項４、９、１３に記載された事項により特定される発明であり、本願発明４、９、１３は以下のとおりの発明である。
「【請求項４】
　表示画面における広告表示領域に表示される広告対象の情報を取得する第１取得手段と、
　前記広告対象の閲覧者であるユーザの検索履歴、閲覧履歴、またはブックマーク登録履歴に基づいて、過去の所定期間内に前記ユーザにより検索、閲覧、またはブックマーク登録された対象が属するカテゴリに属する対象で、且つ前記広告対象が属するカテゴリに属する対象を前記広告対象と比較される比較対象として特定し、前記比較対象の情報を取得する第２取得手段と、
　前記広告対象の情報と、前記比較対象の情報とを比較し、当該比較結果に基づいて前記広告対象の特徴を示す特徴情報を決定する決定手段と、
　前記決定手段により決定される前記特徴情報を前記表示画面に表示させる制御手段と、
　を備えることを特徴とする情報処理装置。
【請求項９】
　コンピュータにより実行される情報処理方法であって、
　表示画面における広告表示領域に表示される広告対象の情報を取得するステップと、
　前記広告対象の閲覧者であるユーザの検索履歴、閲覧履歴、またはブックマーク登録履歴に基づいて、過去の所定期間内に前記ユーザにより検索、閲覧、またはブックマーク登録された対象が属するカテゴリに属する対象で、且つ前記広告対象が属するカテゴリに属する対象を前記広告対象と比較される比較対象として特定し、前記比較対象の情報を取得するステップと、
　前記広告対象の情報と、前記比較対象の情報とを比較し、当該比較結果に基づいて前記広告対象の特徴を示す特徴情報を決定する決定ステップと、
　前記決定ステップにより決定される前記特徴情報を前記表示画面に表示させるステップと、
　を含むことを特徴とする情報処理方法。
【請求項１３】
　コンピュータを、
　表示画面における広告表示領域に表示される広告対象の情報を取得する第１取得手段と、
　前記広告対象の閲覧者であるユーザの検索履歴、閲覧履歴、またはブックマーク登録履歴に基づいて、過去の所定期間内に前記ユーザにより検索、閲覧、またはブックマーク登録された対象が属するカテゴリに属する対象で、且つ前記広告対象が属するカテゴリに属する対象を前記広告対象と比較される比較対象として特定し、前記比較対象の情報を取得する第２取得手段と、
　前記広告対象の情報と、前記比較対象の情報とを比較し、当該比較結果に基づいて前記広告対象の特徴を示す特徴情報を決定する決定手段と、
　前記決定手段により決定される前記特徴情報を前記表示画面に表示させる制御手段として機能させることを特徴とする情報処理プログラム。」
第５　引用文献、引用発明等
　引用文献１について
　原査定の拒絶の理由に引用された引用文献１には、図面とともに次の事項が記載されている。（なお、下線部は当審にて付与した。）
（ア）
「本発明は、ユーザーに提供する情報を生成する情報処理装置及び情報処理方法、並びにコンピューター・プログラムに係り、特に、各種製品を所持する消費者に対し新製品に関する広告情報を提供する情報処理装置及び情報処理方法、並びにコンピューター・プログラムに関する。」（【０００１】）
（イ）
「本発明に係る広告情報提供システムは、
広告配信サーバーとして動作する情報処理装置が、各ユーザーが現在使用している所持機器の稼動情報を収集し、所持機器の仕様のクリティカル・ポイントを抽出して、推薦すべき新製品の広告情報を生成（若しくは、ユーザー毎にパーソナライズ）して提供する
（ウ）
「広告配信サーバーは、任意の方法で、各ユーザーからオペレーション・ログを受け取ると、データベース化して保存する。また、
広告配信サーバーには、製造業者（若しくは製造業者から委託を受けた代理業者）などから、新製品の仕様などに関する新製品情報や、その広告情報が供給され
　図２には、本実施形態に係る広告情報提供システムにおいて、
広告配信サーバーがユーザーに広告情報を提供するため
　まず、
広告情報について広告効果ポイント判別処理を行なう（ステップＳ１）
広告候補となる新製品の仕様を、ユーザーの所持機器の仕様と比較して、新製品にアピールすべき仕様項目すなわち訴求ポイントがあるかどうかを判別する
（エ）
「次いで、
各ユーザーの所持機器のクリティカル・ポイント判別処理を行なう（ステップＳ２）
ユーザーの所持機器のオペレーション・ログに基づいて、所持機器のクリティカル・ポイントとなる仕様項目を抽出する
（オ）
「次いで、ステップＳ１及びＳ２の結果に基づいて、
新製品の仕様の重要度判別処理を行なう（ステップＳ３）。
ステップＳ１において抽出した、広告の対象とする新製品の仕様のうちユーザーの所持機器から大幅に向上した仕様項目が、ステップＳ２において、当該仕様項目がユーザーにとってのクリティカル・ポイントであるかどうかを判定する
（カ）
「そして、
ユーザーに対する広告情報を作成し、ユーザーに提供する（ステップＳ４）
ステップＳ３において重要度が高いと判定された仕様項目を広告のポイントにして、広告情報をパーソナライズする
（キ）
「そして、
パーソナライズされた広告情報は、
特定ユーザー向けのホームページを閲覧に供するようにしてもよい。
　したがって、上記（ア）ないし（キ）の記載から、上記引用文献１には次の発明（以下、「引用発明」という。）が記載されていると認められる。
「各ユーザーが現在使用している所持機器の稼動情報を収集し、所持機器の仕様のクリティカル・ポイントを抽出して、推薦すべき新製品の広告情報を生成（若しくは、ユーザー毎にパーソナライズ）して提供する、広告配信サーバーとして動作する情報処理装置であって、
　広告配信サーバーには、製造業者（若しくは製造業者から委託を受けた代理業者）などから、新製品の仕様などに関する新製品情報や、その広告情報が供給され、
　広告配信サーバーがユーザーに広告情報を提供するために、
　広告候補となる新製品の仕様を、ユーザーの所持機器の仕様と比較して、新製品にアピールすべき仕様項目すなわち訴求ポイントがあるかどうかを判別する広告情報について広告効果ポイント判別処理を行ない（ステップＳ１）、
　ユーザーの所持機器のオペレーション・ログに基づいて、所持機器のクリティカル・ポイントとなる仕様項目を抽出する各ユーザーの所持機器のクリティカル・ポイント判別処理を行ない（ステップＳ２）、
　ステップＳ１において抽出した、広告の対象とする新製品の仕様のうちユーザーの所持機器から大幅に向上した仕様項目が、ステップＳ２において、当該仕様項目がユーザーにとってのクリティカル・ポイントであるかどうかを判定する新製品の仕様の重要度判別処理を行ない（ステップＳ３）、
　ステップＳ３において重要度が高いと判定された仕様項目を広告のポイントにして、広告情報をパーソナライズしたユーザーに対する広告情報を作成し、パーソナライズされた広告情報を特定ユーザー向けのホームページで閲覧に供するようにユーザーに提供する（ステップＳ４）、
　広告配信サーバーとして動作する情報処理装置」
第６　対比・判断
１．本願発明４について
１−１．対比
　本願発明４と引用発明とを対比する。
（１）
　引用発明に係る「新製品の仕様などに関する新製品情報や、その広告情報」は、本願発明４でいうところの『広告対象の情報』に対応することは明らかである。
　また、引用発明では、「パーソナライズされた広告情報を特定ユーザー向けのホームページで閲覧に供するようにユーザーに提供する」のであり、引用発明に係る「新製品の仕様などに関する新製品情報や、その広告情報」は、パーソナライズされるものの、「ホームページで閲覧に供」されるのであるから、表示画面に表示されることは明らかである。
　そして、引用発明では、「広告配信サーバーには、製造業者（若しくは製造業者から委託を受けた代理業者）などから、新製品の仕様などに関する新製品情報や、その広告情報が供給され」るのであり、引用発明の「広告配信サーバー」が「新製品の仕様などに関する新製品情報や、その広告情報」を取得する手段を備えることは明らかであることから、引用発明と、本願発明４とは、『表示画面に表示される広告対象の情報を取得する第１取得手段』を備える点で一致している。
（２）
　引用発明では、「広告候補となる新製品の仕様を、ユーザーの所持機器の仕様と比較して、新製品にアピールすべき仕様項目すなわち訴求ポイントがあるかどうかを判別する広告情報について広告効果ポイント判別処理を行ない」、「ユーザーの所持機器のオペレーション・ログに基づいて、所持機器のクリティカル・ポイントとなる仕様項目を抽出する各ユーザーの所持機器のクリティカル・ポイント判別処理を行な」っているのであるから、引用発明は「ユーザーの所持機器」を広告候補となる新製品と比較される比較対象として特定しているといえる。
　そして、引用発明は、「各ユーザーが現在使用している所持機器の稼動情報を収集し、所持機器の仕様のクリティカル・ポイントを抽出して」おり、「ユーザーの所持機器」の情報を取得する手段を備えることは明らかであるから、引用発明と、本願発明４とは、『前記広告対象と比較される比較対象として特定し、前記比較対象の情報を取得する第２取得手段』を備える点で一致している。
（３）
　引用発明では、「
広告候補となる新製品の仕様を、ユーザーの所持機器の仕様と比較して
広告効果ポイント判別処理を行ない（ステップＳ１）
ステップＳ１において抽出した、広告の対象とする新製品の仕様のうちユーザーの所持機器から大幅に向上した仕様項目が
ユーザーにとってのクリティカル・ポイントであるかどうかを判定
（４）
　引用発明では、「ステップＳ３において重要度が高いと判定された仕様項目を広告のポイントにして、広告情報をパーソナライズしたユーザーに対する広告情報を作成し、パーソナライズされた広告情報を特定ユーザー向けのホームページで閲覧に供するようにユーザーに提供する」のであり、「ステップＳ３において重要度が高いと判定された仕様項目」は、前記（３）で前述したように、広告の対象とする新製品の仕様のうちの特徴を示す情報である。
　そして、当該「仕様項目」を「広告のポイントにして、広告情報をパーソナライズし」、「パーソナライズされた広告情報を特定ユーザー向けのホームページで閲覧に供する」のであるから、引用発明は、本願発明４でいうところの『前記決定手段により決定される前記特徴情報を前記表示画面に表示させる制御手段』を備えているといえる。
　したがって、上記（１）から（４）で対比した様に、本願発明４と引用発明との間には、次の一致点、相違点がある。
（一致点）
「表示画面に表示される広告対象の情報を取得する第１取得手段と、
　前記広告対象と比較される比較対象として特定し、前記比較対象の情報を取得する第２取得手段と、
　前記広告対象の情報と、前記比較対象の情報とを比較し、当該比較結果に基づいて前記広告対象の特徴を示す特徴情報を決定する決定手段と、
　前記決定手段により決定される前記特徴情報を前記表示画面に表示させる制御手段と、
　を備えることを特徴とする情報処理装置」
（相違点）
（相違点１）本願発明４では、『広告表示領域』に表示されるのに対し、引用発明では、その旨特定されていない点。
（相違点２）本願発明４では、比較対象として特定される対象が、『前記広告対象の閲覧者であるユーザの検索履歴、閲覧履歴、またはブックマーク登録履歴に基づいて、過去の所定期間内に前記ユーザにより検索、閲覧、またはブックマーク登録された対象が属するカテゴリに属する対象で、且つ前記広告対象が属するカテゴリに属する対象』であるのに対し、引用発明では、「ユーザーの所持機器」である点。
１−２．相違点についての判断
　上記相違点２について検討すると、引用発明では、比較対象として特定される対象を「ユーザーの所持機器」としており、引用文献１の明細書等を参酌しても、「ユーザーの所持機器」以外を比較対象とすることへの記載も示唆もない。
　また、引用発明においては、パーソナライズされた広告対象を特定ユーザー向けのホームページで閲覧に供するものの、それはパーソナライズされた広告対象をユーザーに提供するための手段の一つとして示されているものであり、ユーザの検索履歴、閲覧履歴、またはブックマーク登録履歴について何ら考慮されていないことは明らかである。
　そして、ユーザの検索履歴、閲覧履歴、またはブックマーク登録履歴に基づいて、広告を表示する技術が周知技術であったとしても、比較対象として特定される対象を、『前記広告対象の閲覧者であるユーザの検索履歴、閲覧履歴、またはブックマーク登録履歴に基づいて、過去の所定期間内に前記ユーザにより検索、閲覧、またはブックマーク登録された対象が属するカテゴリに属する対象で、且つ前記広告対象が属するカテゴリに属する対象』とすることは周知技術とはいえない。
　そうすると、引用発明には、比較対象として特定される対象を『前記広告対象の閲覧者であるユーザの検索履歴、閲覧履歴、またはブックマーク登録履歴に基づいて、過去の所定期間内に前記ユーザにより検索、閲覧、またはブックマーク登録された対象が属するカテゴリに属する対象で、且つ前記広告対象が属するカテゴリに属する対象』とする動機付けがなく、また引用発明に前記周知技術を適用したとしても、比較対象として特定される対象を、『前記広告対象の閲覧者であるユーザの検索履歴、閲覧履歴、またはブックマーク登録履歴に基づいて、過去の所定期間内に前記ユーザにより検索、閲覧、またはブックマーク登録された対象が属するカテゴリに属する対象で、且つ前記広告対象が属するカテゴリに属する対象』とすることは、当業者といえども導き出せるものではない。
　したがって、他の相違点について判断するまでもなく、本願発明４は、当業者であっても引用発明及び周知技術に基づいて容易に発明できたものであるとはいえない。
　
２．本願発明９、１３について
　本願発明９は、本願発明４に対応する方法の発明であり、本願発明１３は、本願発明４に対応するプログラムの発明であり、共に本願発明４の、比較対象として特定される対象を、『前記広告対象の閲覧者であるユーザの検索履歴、閲覧履歴、またはブックマーク登録履歴に基づいて、過去の所定期間内に前記ユーザにより検索、閲覧、またはブックマーク登録された対象が属するカテゴリに属する対象で、且つ前記広告対象が属するカテゴリに属する対象』とする構成を備えるものであるから、本願発明４と同じ理由により、当業者であっても、引用発明及び周知技術に基づいて容易に発明できたものとはいえない。
第７　原査定について
　審判請求時の補正により、本願発明４、９、１３は、それぞれ比較対象として特定される対象を、『前記広告対象の閲覧者であるユーザの検索履歴、閲覧履歴、またはブックマーク登録履歴に基づいて、過去の所定期間内に前記ユーザにより検索、閲覧、またはブックマーク登録された対象が属するカテゴリに属する対象で、且つ前記広告対象が属するカテゴリに属する対象』とする構成を備えるものであるから、上記「第５　引用文献、引用発明等」から「第６　対比・判断」で言及したとおり、本願発明４、９、１３は、当業者であっても、拒絶査定において引用された引用文献１及び周知技術に基づいて、容易に発明できたものとはいえない。したがって、原査定を維持することはできない。
第８　むすび
　以上のとおり、原査定の理由によっては、本願を拒絶することはできない。
　また、他に本願を拒絶すべき理由を発見しない。
　よって、結論のとおり審決する。